(57)【特許請求の範囲】
【請求項１】
１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、
前記圧縮機の運転時間を外気温度に応じて変更することを特徴とする空気調和システムの自動アドレス設定方法。
【請求項２】
１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、
前記圧縮機の起動後に、強制的に圧縮機の高圧側に必要な高圧が発生するよう前記室外送風機または室内送風機の回転数を外気温度に応じて変更することを特徴とする空気調和システムのアドレス自動設定方法。
【請求項３】
１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、
前記アドレス設定開始時に、前記室外機および／または室内機の送風機の制御モードを外気温度に応じて決定することを特徴とする空気調和システムのアドレス自動設定方法。
【請求項４】
１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、
前記アドレス設定制御開始時における室内機のメカ弁開度を外気温度に応じて決定することを特徴とする空気調和システムのアドレス自動設定方法。
【請求項５】
請求項４にに記載のアドレス自動設定方法において、前記アドレス設定制御開始時における室内機のメカ弁開度を吐出温度に応じて決定することを特徴とする空気調和システムのアドレス自動設定方法。
【請求項６】
１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、
前記熱交換器温度の所定温度差を外気温度に応じて変更することを特徴とする空気調和システムのアドレス自動設定方法。
【請求項７】
１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、
前記熱交換器温度が変化した室内機のメカ弁開度を、変化していない室内機のメカ弁開度よりも絞ることを特徴とする空気調和システムのアドレス自動設定方法。
【請求項８】
請求項１乃至７に記載の空気調和システムのアドレス自動設定方法において、前記熱交換器の温度変化は当該熱交換器の絶対温度を基準として判断することを特徴とする空気調和システムのアドレス自動設定方法。
【発明の詳細な説明】
【０００１】
【発明の属する技術分野】
本発明は、１台または複数台の室外機および複数台の室内機からなり、制御系が同一の通信配線を介して接続された空気調和システムに係り、より詳しくは各室内機に当該室内機の属性を表すアドレスを自動設定する方法に関する。
【０００２】
【従来の技術】
一般に、大型ビル等の空気調和システムには、複数の室外機およびその各室外機にさらに複数の室内機を組み合わせた構成が用いられる。これらの各室外機および室内機は互いに独立あるいは協働して運転されるため、制御系を連動させる必要がある。そのために、各室外機および室内機の制御系に通信線を配線して必要なデータを各制御系に送信することが行われる。
【０００３】
しかし、従来のシステムでは各室外機ごとの単位で（すなわち、冷媒系統ごとに）室外機と室内機との間に通信線を配線しており、各冷媒系統ごとに通信線を配線することは配線数の増加や複雑化を招来し、システム設置時の配線ミス等を誘発する原因となる。そこで、一本の通信線で各室外機および室内機の制御系を接続したシステムが提案されている。
【０００４】
このようなシステムでは、一本の通信線に複数の室外機および室内機が接続されるため、室外機と室内機の対応関係を明確にする必要があり、この対応関係の明確化のために、各室内機に対して当該室内自身を特定する識別符号であるアドレスを設定することが行われる。通常、このアドレスの設定はシステムの設置時に行われるが、設置員による手動設定では設定ミスが発生する場合があるため、自動設定が求められる。
【０００５】
従来、アドレスの自動設定方法として、アドレス設定のために室外機の圧縮機を運転して冷媒を室内機側に供給し、圧縮機の運転前後で熱交換器温度が所定温度差以上変化した室内機を検出して各室内機にアドレスを設定するようにした方式が知られている（特開平６−１４７６０５号公報参照）。
【０００６】
【発明が解決しようとする課題】
しかしながら、上記方式でのアドレス設定において検出すべき熱交換器温度の変化は、季節もしくは外気温度、または室内機の配置位置もしくは各室内機ごとの冷媒配管の長さの違い等のシステム構成による影響を受け、検出すべき温度差に達するまでに要する時間が必ずしも各室内機において一律ではなく、それぞれ異なることを考慮して冷媒供給時間（すなわち、圧縮機の運転時間）を制御することが求められる。
【０００７】
このように、アドレスの自動設定に際しては、外気温度等を加味したきめの細かな制御を行うことが望まれている。
【０００８】
本発明の目的は、外気温度等の変動要素を考慮し、正確にアドレス設定を行いうる空気調和システムのアドレス自動設定方法を提供することにある。
【０００９】
【課題を解決するための手段】
請求項１に記載の発明は、１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、前記圧縮機の運転時間を外気温度に応じて変更することを特徴とする。この請求項１に記載の発明によれば、圧縮機の運転時間を外気温度に応じて変更することで、外気温度の変化に影響されることなく検出すべき熱交換器温度の変化を確実に検出することが可能となり、アドレス設定の信頼性を向上しうる。
【００１０】
請求項２に記載の発明は、１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定る方法において、前記圧縮機の起動後に、強制的に圧縮機の高圧側に必要な高圧が発生するよう前記室外送風機または室内送風機の回転数を外気温度に応じて変更することを特徴とする。この請求項２に記載の発明によれば、例えばガスヒートポンプ方式の空気調和システムのように高圧側の圧力センサを有しておらず、必要な高圧が発生しているか否か判断できない場合に、室外送風機または室内送風機の回転数（または、送風量）を外気温度に応じて変更することで、理論上高圧を発生させるよう制御モードに強制的に入れることができる。
【００１１】
請求項３に記載の発明は、１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定することを特徴とする。この請求項３に記載の発明によれば、圧縮能力制御ができないような室外機を用いた空気調和システムの場合に、前記室外機および／または室内機の送風機の制御モードを外気温度に応じて決定することで、特に真夏時での暖房運転によるアドレス設定時における圧縮機内の圧力（高圧側）の過上昇を抑制することができ、安全性ならびに信頼性が確保される。
【００１２】
請求項４に記載の発明は、１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、アドレス設定開始時に前記室内機のメカ弁開度を外気温度に応じて決定することを特徴とする。この請求項３に記載の発明によれば、室内機のメカ弁開度を外気温度に応じて決定することで、圧縮能力制御ができないような室外機を用いた空気調和システムに対して、特に真夏時での暖房運転によるアドレス設定時における圧縮機内の圧力（高圧側）の過上昇を抑制することができ、安全性ならびに信頼性が確保される。
【００１３】
請求項５に記載の発明は、請求項４に記載のアドレス設定方法において、前記室内機のメカ弁開度を圧縮機の吐出温度に応じて決定することを特徴とする。この請求項５に記載の発明によれば、室内機のメカ弁開度の制御を圧縮機の吐出温度に応じて決定する態様が示される。
【００１４】
請求項６に記載の発明は、１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、前記熱交換器温度の所定温度差を外気温度に応じて変更することを特徴とする。この請求項６に記載の発明によれば、熱交換器温度の所定温度差を外気温度に応じて変更するので、熱交換器の温度が上昇したとの判断を明確にすることができる。つまり、外気温度が低い場合に、冷媒管が長く、かつ室内外容量比が１００％を超えるような空調システムでは、高圧が上昇しにくいので、熱交換器温度の上昇の有無判断を外気温度に応じて場合分けすることにより、上昇判断が明確化され、外気温度の変化に影響されることなく検出すべき熱交換器温度の変化を確実に検出することが可能となり、アドレス設定の信頼性を向上しうる。
【００１５】
請求項７に記載の発明は、１台または複数台の室外機および複数台の室内機を有し、前記各室外機および室内機の制御系が同一の通信配線を介して接続された空気調和システムにおいて、前記室外機内の圧縮機を運転して冷媒を室内機側に供給したとき、前記圧縮機の運転前後で熱交換器温度が所定温度差以上変化した室内機と前記運転を行った室外機との対応関係に基づいて前記室内機にアドレスを設定する方法において、前記熱交換器温度が変化した室内機のメカ弁開度を、変化していない室内機のメカ弁開度よりも絞ることを特徴とする。この請求項７に記載の発明によれば、熱交換器温度が変化した室内機のメカ弁開度を変化していない室内機のメカ弁開度よりも絞るので、室内機の馬力の大小差等により、冷媒の分流不良が生じることを想定して、熱交換器温度が上昇した室内機のメカ弁は、他の室内機のメカ弁よりも少し開度を絞ることにより、流れにくい室内機へ冷媒を流すことができる。これにより、冷媒循環の均質化を図ることができ冷媒配管等の構造上の違いに影響されることなく検出すべき熱交換器温度の変化を確実に検出することが可能となり、アドレス設定の信頼性を向上しうる。
【００１６】
請求項８に記載の発明は、請求項１乃至７に記載の空気調和システムの自動アドレス設定方法において、圧縮機の運転の発停前後における室内熱交換器の温度変化が大きい場合、又は圧縮機運転後における室内熱交換器の温度が所定値（５８℃）以上となるアドレスを設定する条件とする方法を提供する。
【００１７】
【発明の実施の形態】
次に、本発明の好適な実施の形態を図面に基づいて説明する。
【００１８】
(I)空気調和システムの構成
図１に、本発明に係る空調システムの構成を示す。この空気調和システムは、複数（図１では３台）の室外機１〜３と、複数（図１では１３台）の室内機４〜１６とで構成されている。さらに、空気調和システムは各室外機１〜３ごとにグルーピングされており、室外機１と室内機４からなる冷媒系、室外機２と室内機５〜８からなる冷媒系、および室外機３と室内機９〜１６からなる冷媒系が構築されている。
【００１９】
各室外機１〜３および室内機４〜１６の制御系は、１本の通信線１７により接続されており、信号伝送方式にはバス方式が採用されている。
【００２０】
符号１８〜２７はリモートコントローラであり、リモートコントローラ１８は室外機１と室内機４から成る空気調和システムの運転を制御し、リモートコントローラ１９は室外機２と室内機５〜８から成る空気調和システムの運転を制御し、リモートコントローラ２０〜２７はそれぞれ室内機９〜１６の運転を制御する。
【００２１】
図２に、一つの冷媒系の詳細構成例として、室外機２と室内機５〜８からなる冷媒系の構成を示す。図２に示すように、室外機２の熱交換器４０の一端側が、四方弁４１と圧縮機４２を介して、室内機５〜室内機８の各室内熱交換器５０の一端側に冷媒管７７により接続されている。
【００２２】
室外機２は、室外熱交換器４０に送風するファン４４と、外気温度を測定する外気温度センサ４５と、制御手段としてのＣＰＵ（マイクロコンピュータ）４３を有する。ＣＰＵ４３は外気温度センサ４５の検出温度信号および通信配線１７を介して送られるデータ等を受信し、ファン４４のモータの駆動および室外機２内の動作を統括的に制御する。
【００２３】
室内機５〜８はそれぞれ同じ構成であるものとして、同一部分には同一の符号を付して説明する。各室内機５〜８は、室内熱交換器５０の温度を検出する温度検出センサ５９、ＣＰＵ（制御系を構成するマイクロコンピュータ）５３、室内熱交換器５０に送風するファン５４、および室外機２からの冷媒循環量を調節するメカ弁５８を有する。ＣＰＵ５３は、温度検出センサ５９の検出温度信号および通信配線１７を介して送られるデータ等を受信し、ファン５４のモータの駆動およびメカ弁５８の開度等の室内機５〜８内を統括的に制御する。メカ弁５８は、弁開度調節が可能であり、それぞれの室内熱交換器５０と室外熱交換器４０の間に配された冷媒管５１に接続されている。
【００２４】
(II)室内機のアドレス設定方法
次に、上記空気調和システムの各室内機に対するアドレスの自動設定方法を説明する。
【００２５】
〈Ａ〉基本手順
図３に、この実施の形態におけるアドレス設定の基本的な手順を示す。すなわち、空気調和システムの設置時において、任意の室外機（例えば、室外機２）を暖房運転し（ステップＳ１００）、この室外機２の冷媒系に属する各室内機（例えば、５〜８）の室内熱交換器５０に冷媒を循環させることにより、室内熱交換器５０の温度変化を検出する（ステップＳ１０１）。このとき、所定の温度変化を示す室内熱交換器５０を内蔵する室内機に対して当該室内機と特定するための識別符号であるアドレスの割当てを行う（ステップＳ１０２）。この手順を一つの冷媒系内において全室外機に対して繰り返し実行する（ステップＳ１０３）。以下同様にステップＳ１００〜１０３の手順を順次各冷媒系について実行する。以上のアドレス設定手順は、任意の室外機のＣＰＵ内に格納されたアドレス設定プログラムにより自動的に行われる。なお、アドレス設定に際して行われる運転モードとして暖房運転を用いる理由は、冷房運転時に比べて暖房運転の方が熱交換器の温度変化幅を大きく、したがって温度変化の有無の確定が明確であり、アドレス設定の信頼性が高いからである。しかしながら、温度変化幅が大きくとれる場合には冷房運転モードでアドレス設定することは可能であり、特に本発明の範囲を限定するものではない。
【００２６】
〈Ｂ〉詳細手順
図４および図５に本発明に係るアドレス設定方法の詳細な手順を示す。
【００２７】
まず、上記アドレス設定手順を実行するに際し、本発明の特徴的なことは、主にアドレス設定における室内熱交換器の温度の変化の判定に、外気温度に応じた熱交換器温度の変化値を採用する点である。この実施の形態では、外気温度を反映させる制御方法としては次の▲１▼〜▲５▼に挙げられるものを含む。
【００２８】
▲１▼外気温度に応じて圧縮機の運転時間を変更する（ステップＳ３、図６参照）。
▲２▼アドレス設定制御中における室外送風機または室内送風機の回転数を外気温度に応じて変更する（ステップＳ３２、Ｓ１７、Ｓ３５、Ｓ３７、Ｓ３２、図８参照）。
【００２９】
▲３▼アドレス設定制御開始時の室内機送風モードを決定する（ステップＳ７、図７参照）。
【００３０】
▲４▼アドレス設定制御開始時における室内機のメカ弁開度を決定する（ステップＳ２、図７）。
【００３１】
▲５▼  熱交換器  温度の所定温度差を変更する。
【００３２】
次に、図４を参照して、アドレスの自動設定手順を説明する。アドレスの自動設設定が開始されると、室外機のＣＰＵは外気温度センサによる外気温度の検出を行う（ステップＳ１）。この外気温度に基づいて室外機のＣＰＵは、運転条件として、冷媒が循環したことを示す室内熱交換器温度の変化すなわち「判断する温度差ΔＴ」とともに「室内機送風モード」、「室内機メカ弁パルスの数（パルスモータのステップ数＝弁開度）」を決定し、通信線１７を介して室内機のＣＰＵに送信する。このとき、「室内機送風モード」、「室内機メカ弁パルスの数のデータは、室内熱交換器の温度が上昇した場合と上昇しない場合の２種類のデータを送信する。
【００３３】
次に、室外機のＣＰＵは検出した外気温度に応じて自動アドレスの設定に費やす運転時間を決定する。具体的には、圧縮機の運転時間を外気温度に応じて決定する（ステップＳ３）。
【００３４】
次に、室内機のＣＰＵは、室外機から送信された運転条件（「判断する温度差ΔＴ」、「室内機送風モード」、「室内機メカ弁パルス数」）「をセットする（ステップＳ４）。
【００３５】
次に、室内機のＣＰＵは、このときの室内熱交換器の温度Ｔｉを取り込み、内蔵メモリに記憶する（ステップＳ５）。
【００３６】
その後、適当な時間（例えば、３分間）待機する（ステップＳ６）。
【００３７】
次いで、上記待機時経過後、外気温度に応じて、室内送風機の初期モードを決定する（ステップＳ７）。この決定は、例えば図７に示すような態様とする。なお、図７中、ＬＬは微風、Ｌは弱風、Ｈは強風を表し、送風ファンの回転数に相当する。
【００３８】
次に、室外機の圧縮機の運転を開始し（ステップＳ８）、その後所定時間（例えば、３０秒）を経過するのを待つ（ステップＳ９）。この３０秒が経過した場合はステップＳ１０に進む。一方、この３０秒経過前に保護装置が作動するか否かを確認し（ステップＳ２８）、もし保護装置の作動回数が規定回数に達した場合は警報を表示して処理を終了する（ステップＳ２９、３０、３１）。
【００３９】
次に、室内機のＣＰＵは、当該室内機の室内熱交換器の温度を取り込み、通信線１７を介して室外機のＣＰＵに送信する（ステップＳ１０）。
【００４０】
次いで、室外機のＣＰＵは、室内熱交換器の温度の上昇状態を確認し（ステップＳ１１）、上昇し過ぎる場合には室外送風機モードを１モード下降させ（ステップＳ３２、図８参照）、次に、圧縮機吐出温度の上昇状態を確認し（ステップＳ１２）、上昇し過ぎる場合には室内メカ弁パルスを増加させて弁を開き（ステップＳ３３、図８参照）、圧縮機高圧側の圧力上昇を抑制する。
【００４１】
次いで、室内機の熱交換器の温度を取り込み、その温度が所定温度差ΔＴ以上変化したか否かを判断する（ステップＳ１３）。所定温度差ΔＴ以上の温度変化がない場合は、ステップＳ１４に進む。一方、所定温度差ΔＴ以上の温度変化があった場合は、運転条件を室内熱交換器温度が上昇した場合の運転条件「室内機送風モード」および「室内機メカ弁パルス数」にセットし（ステップＳ３４）、ステップＳ１４に進む（接続子１参照）。
【００４２】
ここで、室内熱交換器温度が上昇した場合の運転条件中の「室内機メカ弁パルス数」は、未だ温度上昇していない場合の「室内機メカ弁パルス数」よりも少なくしたがってメカ弁開度は絞られることになる。すなわち、各室内機５〜８相互間の馬力の大小、取り付け位置の高低差、あるいは冷媒配管の長さの違い等により冷媒の分流不良が生じることを想定し、熱交換器温度が上昇した室内機５〜８のメカ弁５８の開度を他の温度上昇していない室内機のメカ弁５８の開度を絞ることにより、冷媒を流れにくい室内機側により多く流すようにするためである。
【００４３】
次に、図５を参照して、ステップＳ１４において、フェイルセーフ動作のため、再び保護装置が作動しているか否かをチェックする（ステップＳ１４）。保護装置が動作している場合は、ステップＳ２８にジャンプし（接続子Ｔ参照）、前述のステップＳ２８〜３１の処理を行う。保護装置が作動していない場合は、ステップＳ１５に進む。
【００４４】
ステップＳ１５では、「ステップ１」秒間が経過したか否かを確認する。この「ステップ１」秒間経過の確認は暖機運転に相当し、急激な高圧上昇を防止しつつ室内熱交換器温度を上昇させるためのものであり、時間が経過していない場合には、ステップＳ１０に戻る（接続子Ａ参照）。経過した場合、処理はステップＳ１６に進む。
【００４５】
次に、ステップＳ１６において、現在の室外機送風モードが最大ランクか否かが判断され、最大である場合には室内送風機モードが１ランク下げられる（ステップＳ３５、図８、Ｈ→Ｌ参照）。最大でない場合には室外送風機モード１ランク上げられる（ステップＳ１７）。
【００４６】
次いで、室外機ＣＰＵは、室内熱交換器温度が所定温度ΔＴ以上上昇したか否かを検出する（ステップＳ１８）。ΔＴ以上の温度変化があった場合は、室内送風機モードおよびメカ弁パルス数を熱交換器温度が上昇した場合の運転条件の値にセットし（ステップＳ３６）、ステップＳ１９に進む。ΔＴ以上の温度差が生じない場合には、そのままステップＳ１９に進む。
【００４７】
ここで、フェイルセーフ動作のため、再び保護装置が作動しているか否かをチェックする（ステップＳ１９）。保護装置が動作している場合は、ステップＳ２６にジャンプする。ステップＳ２６、２７および３９に付いては後述する。保護装置が動作していない場合、処理はステップＳ２０に進む。
【００４８】
ステップＳ２０では、「ステップ２」秒間が経過したか否かを確認する。この「ステップ２」秒間経過の確認はより自動アドレスを確実に行うために、高圧を「ステップ１」より上昇させ室内熱交換器温度を上昇させるためのものであり、時間が経過していない場合には、ステップＳ１８に戻る（接続子Ｃ参照）。経過した場合、処理はステップＳ２１に進む。
【００４９】
ステップＳ２１において、現在の室外機送風モードが最大ランクか否かが判断され、最大である場合には室内送風機モードが１ランク下げられ（ステップＳ３７、図８、Ｈ→Ｌ参照）、また、最大でない場合には室外送風機モード１ランク上げられ（ステップＳ２２）、処理はステップＳ２３に進む。
【００５０】
次いで、室外機ＣＰＵは、室内熱交換器温度が所定温度ΔＴ以上上昇したか否かを検出する（ステップＳ２３）。ΔＴ以上の温度変化があった場合は、室内送風機モードおよびメカ弁パルス数を熱交換器温度が上昇した場合の運転条件の値にセットし（ステップＳ３６）、ステップＳ１９に進む。ΔＴ以上の温度差が生じない場合には、そのままステップＳ１９に進む。
【００５１】
ここで、フェイルセーフ動作のため、再び保護装置が作動しているか否かをチェックする（ステップＳ１２４）。保護装置が動作している場合は、ステップＳ２６にジャンプする。保護装置が動作していない場合、処理はステップＳ２５に進む。
【００５２】
ステップＳ２５では、「ステップ３」秒間が経過したか否かを確認する。この「ステップ３」秒間経過の確認は「ステップ２」よりさらに高圧を上昇させ、より自動アドレスを確実に行うためのものであり、時間が経過していない場合には、ステップＳ２３に戻って（接続子Ｄ参照）、ステップＳ２３、２４、３８および２５の処理を繰り返す。
【００５３】
ステップＳ２４でのチェックの結果、保護装置の動作が検出された場合、およびステップＳ２５のチェックの結果、「ステップＳ３」秒経過した場合、処理はステップＳ２６に進む。
【００５４】
ステップＳ２６では、室外熱交換器温度が上昇した室内機（つまり、温度変化を生じた室内機）の台数をカウントしており、該当する室内機台数が各室外機に設定された室内機台数に達したか否か確認される。この台数が一致しない場合、警報が表示された後（ステップＳ３９）、処理は終了する。一方、温度上昇室内機台数が室外機に設定された室内機台数に達した場合には、規定数の室内機の温度上昇を確認したことになるから、各室内機に対するアドレスの設定を確定し（ステップＳ２７）、一連の処理を終了する。
【００５５】
(III)変形例
本発明は以上の実施の形態に限定されるものではなく、種々の変形が可能である。
【００５６】
例えば、上述のアドレス設定手順においては室内熱交換器の温度変化（上昇）の検出のために、冷媒供給前の熱交換器温度Ｔｉに冷媒供給後の熱交換器温度の変化ΔＴｉを加算する方法をとっているが（ステップＳ１３、１８および２３参照）、これに代えて、室内熱交換器の絶対温度が所定値（例えば、５８℃）以上になったことを判断基準とすることが可能である。この態様の場合には、ステップＳ１３、Ｓ１８およびＳ２３において室内熱交換器の絶対温度を熱交換器温度センサ５９により検出し、その検出値Ｔと予め定めた判断基準値Ｔｒｅｆとを比較する（Ｔ≧Ｔｒｅｆ）ように構成する。
【００５７】
【発明の効果】
以上の通り、請求項１に記載の発明によれば、圧縮機の運転時間を外気温度に応じて変更することで、外気温度の変化に影響されることなく検出すべき熱交換器温度の変化を確実に検出することが可能となり、アドレス設定の信頼性を向上しうる。
【００５８】
請求項２に記載の発明によれば、例えばガスヒートポンプ方式の空気調和システムのように高圧側の圧力センサを有しておらず、必要な高圧が発生しているか否か判断できない場合に、室外送風機または室内送風機の回転数（または、送風量）を外気温度に応じて変更することで、理論上高圧を発生させるよう制御モードに強制的に入れることができる。
【００５９】
請求項３に記載の発明によれば、圧縮能力制御ができないような室外機を用いた空気調和システムの場合に、前記室外機および／または室内機の送風機の制御モードを外気温度に応じて決定することで、特に真夏時での暖房運転によるアドレス設定時における圧縮機内の圧力（高圧側）の過上昇を抑制することができ、安全性ならびに信頼性が確保される。
【００６０】
請求項４に記載の発明によれば、室内機のメカ弁開度を外気温度に応じて決定することで、圧縮能力制御ができないような室外機を用いた空気調和システムに対して、特に真夏時での暖房運転によるアドレス設定時における圧縮機内の圧力（高圧側）の過上昇を抑制することができ、安全性ならびに信頼性が確保される。
【００６１】
請求項５に記載の発明によれば、室内機のメカ弁開度の制御を圧縮機の吐出温度に応じて決定する具体的態様が示される。
【００６２】
請求項６に記載の発明によれば、熱交換器温度の所定温度差を外気温度に応じて変更するので、熱交換器の温度が上昇したとの判断を明確にすることができる。つまり、外気温度が低い場合に、冷媒管が長く、かつ室内外容量比が１００％を超えるような空調システムでは、高圧が上昇しにくいので、熱交換器温度の上昇の有無判断を外気温度に応じて場合分けすることにより、上昇判断が明確化され、外気温度の変化に影響されることなく検出すべき熱交換器温度の変化を確実に検出することが可能となり、アドレス設定の信頼性を向上しうる。
【００６３】
請求項７に記載の発明によれば、熱交換器温度が変化した室内機のメカ弁開度を変化していない室内機のメカ弁開度よりも絞るので、室内機の馬力の大小差等により、冷媒の分流不良が生じることを想定して、熱交換器温度が上昇した室内機のメカ弁は、他の室内機のメカ弁よりも少し開度を絞ることにより、流れにくい室内機へ冷媒を流すことができる。これにより、冷媒循環の均質化を図ることができ  冷媒配管等の構造上の違いに影響されることなく検出すべき熱交換器温度の変化を確実に検出することが可能となり、アドレス設定の信頼性を向上しうる。
【００６４】
請求項８に記載の発明によれば、請求項１乃至７に記載の空気調和システムの自動アドレス設定方法において、圧縮機の運転の発停前後における室内熱交換器の温度変化が大きい場合又は、圧縮機運転後における室内熱交換器の温度が所定値（５８℃）以上となるとアドレスを設定する条件とする方法が提供される。
【図面の簡単な説明】
【図１】本発明が適用される空気調和システムを示すブロック図である。
【図２】図１の空調システムにおける一部の冷媒系および制御系を示すブロック図である。
【図３】アドレス自動設定の基本手順を示すフローチャートである。
【図４】本発明に係るアドレス自動設定の手順（前半）を示すフローチャートである。
【図５】本発明に係るアドレス自動設定の手順（後半を示すフローチャートである。
【図６】外気温度に対応する判断温度差の具体例を示す説明図である。
【図７】外気温度に対応する判断温度差の具体例を示す説明図である。
【図８】外気温度に対応する判断温度差の具体例を示す説明図である。
【符号の説明】
１〜３    室外機
４〜１６  室内機
１７      通信線
４０      室外熱交換器
４２      圧縮機
４３      室外機のＣＰＵ
４４      室外機送風ファン
４５      外気温度センサ
５０      室内熱交換器
５３      室内機のＣＰＵ
５４      室内機送風ファン
５８      メカ弁
５９      室内熱交換器温度センサ
【図１】
0003691156.tif 000002
【図２】
0003691156.tif 000003
【図３】
0003691156.tif 000004
【図４】
0003691156.tif 000005
【図５】
0003691156.tif 000006
【図６】
0003691156.tif 000007
【図７】
0003691156.tif 000008
【図８】
0003691156.tif 000009